(57)【要約】【課題】  焼き網及び油受け皿の洗い作業が不要であり、構造簡単安価にして使い捨てとすることが可能であり、さらに焼き調理する魚肉及びレンジに合わせて大きさの調整が可能であり、流通過程及び保管時には折り畳み収縮させることによりスペースを最小限とすることができるレンジ用マットを提供する。【解決手段】  耐火性シート１が波形に折曲げられ、折り曲げにより形成されたそれぞれの谷部の両端部が閉塞され、かつ全体が伸縮自在に構成されてなるレンジ用マットであり、好ましくは、前記谷部２の長さが、焼き網５の横幅より短く構成され、前記耐火性シート１がアルミ箔あるいは耐火紙であることを特徴とするレンジ用マット。【選択図】  図１
2008301862.tif 000002
【特許請求の範囲】
【請求項１】
耐火性シートが波形に折り曲げられ、該折り曲げにより形成されたそれぞれの谷部の両端部が閉塞されてなることを特徴とするレンジ用マット。
【請求項２】
前記波形に折り曲げられた耐火性シートの全体が伸縮自在であることを特徴とする請求項１に記載のレンジ用マット。
【請求項３】
前記谷部の長さがレンジを構成する焼き網の横幅より短いことを特徴とする請求項１又は２に記載のレンジ用マット。
【請求項４】
前記耐火性シートがアルミ箔であることを特徴とする請求項１、２又は３に記載のレンジ用マット。
【請求項５】
前記耐火性シートが耐火紙であることを特徴とする請求項１、２又は３に記載のレンジ用マット。
【発明の詳細な説明】
【技術分野】
【０００１】
本発明は、魚肉を焼き調理する場合に用いられるレンジ用マットに関する。
【背景技術】
【０００２】
従来、魚肉を焼き調理するレンジには、油受け皿と、該油受け皿の中に配置する焼き網が用いられ、該焼き網の上部に魚肉等を載置してガス等により焼き調理している。
【０００３】
しかしながら、焼き調理の終了時には、前記焼き網に、魚肉の一部と油が強固に付着し、さらに前記油受け皿には多くの油が落下し、その後の焼き網及び油受け皿の洗い作業にきわめて手数を要し面倒であった。
【０００４】
そこで、前記焼き網及び油受け皿の洗い作業を改善するため、上部アルミ箔と下部アルミ箔で吸着紙又は耐熱性のある吸着剤を挟んだ三層からなる吸油防煙アルミシートをガスレンジのグリル内網上部に敷く、使い捨てタイプの吸油防煙アルミシート（特開平１０−２９５５５０号公報）が提案され、さらに、ボトム部と、前記ボトム部の周端部に形成された周壁部とからなり、前記ボトム部上に焼成物が載置されるレンジグリル用マットにおいて、前記ボトム部には、その断面がほぼ逆三角形の形状を有する溝が複数形成され、前記溝の少なくとも１つの底部が、該溝の少なくとも一方端部に対して、低くなるように傾斜していることを特徴としたレンジグリル用マット（実開平０７−３３２２８号公報）などが提案されている。
【特許文献１】特開平１０−２９５５５０号公報
【特許文献２】実開平０７−３３２２８号公報
【発明の開示】
【発明が解決しようとする課題】
【０００５】
前記特許文献１に記載の吸油防煙アルミシートによれば、使い捨てであるために前記焼き網及び油受け皿の洗い作業を省略することができる。しかし、焼き調理時には、前記アルミシートに魚肉が密着させられるため、特に魚の焼き調理の場合には、身の部分が前記アルミシートに焼き付き他の部分と分離させられるなどの問題が残されていた。
【０００６】
また、前記特許文献２に記載のレンジグリル用マットによれば、魚肉の焼き調理後の油の処理は容易であるが、構造上及び製造コスト等から考えて使い捨てにすることは困難であり、結局は、前記マットの洗い作業を省略することができない。
【０００７】
本発明は、前記従来の問題を解決するものであり、前記焼き網及び油受け皿をレンジの内部に残した状態で使用することができ、その場合にあって前記焼き網及び油受け皿を汚すことがなく、したがって、該焼き網及び油受け皿の洗い作業を省略することができるものであり、また、前記焼き網、あるいは油受け皿をレンジの内部から除去して単独でも使用することができるものであり、構造簡単安価に提供して使い捨てとすることが可能であり、また、焼き調理する魚肉及びレンジに合わせて大きさの調節が可能であり、さらにまた、流通過程及び保管時には折り畳み収縮させることによりスペースを最小限とすることができるため取り扱いが容易であり、実用性に富んだレンジ用マットを提供することを目的とする。
【課題を解決するための手段】
【０００８】
前記目的達成のために、本発明にかかるレンジ用マットは、耐火性シートが波形に折り曲げられ、該折り曲げによって形成されたそれぞれの谷部の両端部が閉塞されてなることを特徴とする（請求項１）。
【０００９】
前記構成の本発明のレンジ用マットは、比較的安価に提供される耐火性のシートあるいはプレート（以下単に「耐火性シート」という。）が波形に折り曲げて構成され、該折り曲げにより、複数の谷部と複数の山部が均等に形成されている。本発明では、さらに前記谷部の両端部が閉塞される。なお、全体の大きさは、一般に使用されているレンジの油受け皿及び焼き網と略同じ大きさに構成される。
【００１０】
前記本発明のレンジ用マットは、前記谷部が魚肉の焼き調理中に発生する油を貯留する油受け部となり、前記山部が魚肉の支持部となる。すなわち、本発明のレンジ用マットの使用時には、例えば、レンジを構成する焼き網の上部に載置され、前記山部に魚肉が載置されて焼き調理される。そして、焼き調理をを継続すると、前記折り曲げにより形成されたそれぞれの谷部の両端部が閉塞されているために、それぞれの谷部の内部に魚肉から落下した油が蓄えられる。
【００１１】
なお、本発明のレンジ用マットは、レンジの内部から前記焼き網、あるいは油受け皿を取り出しても使用することができる。例えば、焼き調理する魚肉が厚さを有する場合には、レンジの内部から前記焼き網、あるいは油受け皿を取り出して、代わりに本発明のレンジ用マットをレンジの内部にセットして使用することができる。
【００１２】
また、前記本発明のレンジ用マットは、全体が波形に折り曲げられていること及び該折り曲げによって形成されたそれぞれの谷部の両端部が閉塞されているために前記山部に魚肉を載置した場合に該山部が容易に変形あるいは潰されることがなく効果的に魚肉を支持する。
【００１３】
したがって、前記耐火性シートは、必要とする強度を確保しつつ、可能な限り薄く、安価な素材を使用して、必要人数分の焼き調理後には使い捨てとすることができる。なお、使い捨て時には、適宜油の固め処理等が行なわれる。
【００１４】
本発明の実施の一形態は、前記波形に折り曲げられた耐火性シートの全体が伸縮自在であることを特徴とする（請求項２）。この実施の一形態によれば、焼き調理する魚肉及びレンジに合わせて大きさの調節が可能であり、さらにまた、流通過程及び保管時には折り畳み収縮させることによりスペースを最小限とすることができるため取り扱いが容易であり、また、実用的である。
【００１５】
すなわち、前記構成の折り畳み収縮させられたレンジ用マットは、使用時には、前記折り畳み収縮の状態が解除させられ、焼き調理する魚肉、あるいは使用するレンジの大きさに適合させて伸張させられて、例えば、焼き網の上部に載置され、そして、前記谷部と同時に形成された山部の上部に魚肉を載置して使用される。
【００１６】
本発明の実施の一形態は、前記谷部の長さが、焼き網の横幅（該焼き網を構成する細棒の長さ）よりも短いことを特徴とする（請求項３）。すなわち、レンジを構成する焼き網は、網と言われているが、実際には、横方向に等間隔に細棒が設けられているのみである。
【００１７】
この実施の一形態によれば、前記焼き網を構成するそれぞれの細棒の間に、前記本発明のマットを構成する谷部をそれぞれ適合させることができ、前記マットを安定させて使用することができる。同時に、前記マットを構成する山部の内部には、必然的に、前記焼き網を構成する細棒が位置させられるために前記山部が完全に補強させられることになる。
【００１８】
したがって、耐火性シートを極薄にした場合にも、魚肉荷重により、前記山部が潰されることがないものである。なお、この実施の一形態の場合には油受け皿は不要である。もっとも、前記本発明のマットは油受け皿にセットしても使用することができる。
【００１９】
その他、前記耐火性シートが、前記折り畳み収縮された状態から伸張状態に自動復元する性質を有する場合、あるいは前記自動復元する性質を全く有しない場合等には、使用時に必要とする伸張状態を維持することが好ましい。そこで、例えば、前記マットの端部適位置に固定用舌部を一体に形成し、該固定用舌片を焼き網あるいは水受け皿等に適宜固定することができるように構成すると便利である。
【００２０】
本発明の実施の一形態は、前記耐火性シートがアルミ箔であることを特徴とする（請求項４）。この実施の一形態によれば、前記折り曲げ加工も、前記伸縮自在加工も容易であり、さらに比較的安価に提供できる。また、アルミ箔に食品等が付着している場合には可燃ごみとして処理する市町村が存在するようにアルミ箔は燃焼させることが可能であり、燃焼させ場合にも燃焼炉を損傷させることもなく、家庭ごみ等の助燃効果もあり、さらに、埋め立て処理等で土壌中に放置し場合には、数年で浸食されて土に還るとされており、焼き調理後の洗浄汚水を流す場合よりも環境を悪化させることがないものである。
【００２１】
本発明の実施の一形態は、前記耐火性シートが耐火紙であることを特徴とする（請求項５）。この実施の一形態によれば、油の吸着も考えられ、同時に、使用後の燃焼、その他の処理が容易である。
【発明の効果】
【００２２】
本発明によれば、焼き網及び水受け皿の洗い作業が不要であり、構造簡単安価にして使い捨てとすることも可能であり、さらに焼き調理する魚肉及びレンジに合わせて大きさの調節が可能であり、流通過程及び保管時には折り畳み収縮させることによりスペースを最小限とすることができるため取り扱いが容易であり、実用的である効果が得られる。
【発明を実施するための最良の形態】
【００２３】
以下、本発明の実施形態を、図面を参照して説明する。図中、１は、耐火性のシートであり、好ましくは、所定の強度を有するアルミ箔である。なお、前記所定の強度とは、後に述べる魚肉を支持する強度であり、該強度は、前記アルミ箔の厚さ等を調整して確保される。
【００２４】
本発明では、前記耐火性シート１が波形に折り曲げられる。該折り曲げにより複数の谷部２が形成され、同時に複数の山部３が形成される。前記谷部２（及び山部３）の形成数は、一般家庭で使用されているレンジの焼き網を構成する細棒の数に略適合させると好都合である。また、好ましくは、前記谷部２の長さＬが、焼き網５の幅Ｗよりも短く形成される。
【００２５】
さらに、本発明は、好ましくは、全体が伸縮自在に構成される。すなわち、前記複数の谷部２と複数の山部３との間がシールされたヒンジの状態に構成されて伸縮自在とされる。したがって、後述する前記谷部２の両端部の閉塞部も折り畳み自在に構成される。
【００２６】
本発明における前記山部３の好ましい高さ（前記谷部２の深さ）は、例えば、レンジの内部の焼き網の上部に本発明のマットを載置した時に、該マットの上部に形成される魚肉の載置スペースを極力狭めることがない高さであり、かつ前記谷部２が魚肉から落下する油を溢れさせることなく蓄えることができる深さである。
【００２７】
さらに、本発明では、前記それぞれの谷部３の両端部が閉塞される。該谷部３の両端部の閉塞は、前記のごとく、全体の伸縮自在性を阻害することがないように行なわれる。図面実施例では、閉塞シート４を折り畳み自在に構成している。図中、４ａは折り畳み線である。なお、前記閉塞シート４の形成は、前記耐火性シートの波形の折り曲げ加工時に同時に行なうことが好ましいが、その後の別工程で行なってもよい。
【００２８】
図１では、前記閉塞シート４が、前記谷部３の内側に向けて折り畳まれるように形成されている。また、図２では、前記閉塞シート４が、前記図１とは反対に前記谷部３の外側に向けて折り畳まれるように形成されている。本発明は前記いずれの場合であってもよい。
【００２９】
前記構成の本発明のレンジ用マットＭは、流通過程及び保管時には、例えば、図３に示すように、収縮折り畳まれた状態とされる（図１実施例の場合）。図２の場合も同様に収縮折り畳まれる。
【００３０】
つぎに、使用時には、例えば、図４に示すように焼き網５の大きさに適合させて伸張させられ、さらに、図５に示すように、前記焼き網５を構成する細棒６の間に、前記マットＭを構成する谷部２を適合させ、さらに山部３の上部に魚肉７を載置してレンジＲの内部に配置されて使用される。図中、８は、ガスバーナである。
【図面の簡単な説明】
【００３１】
【図１】本発明の実施形態によるレンジ用マットの一部切り欠き斜視図である。
【図２】本発明の実施形態による他のレンジ用マットの一部切り欠き斜視図である。
【図３】図１に示すレンジ用マットの折り畳み収縮斜視図である。
【図４】本発明のレンジ用マットの使用状態の一例を示す斜視図である。
【図５】本発明のレンジ用マットの使用状態の一例を示すガスレンジの縦断面図である。
【符号の説明】
【００３２】
１    耐火性シート
２    谷部
３    山部
４    閉塞シート
５    焼き網
【図１】
2008301862.tif 000003
【図２】
2008301862.tif 000004
【図３】
2008301862.tif 000005
【図４】
2008301862.tif 000006
【図５】
2008301862.tif 000007